(57)【要約】  オーガナイザー・クリップには、カード及び該カード上のクリップを備えてもよい。取扱いを容易にするため及び美しく見せるために、カードを凹状辺及び曲線の角部を有する略長方形としてもよい。カードをミシン目によって２分して、ファイルするために下部を分離可能にしてもよい。カードをラミネート加工し、その前面及び裏面に筆記面を設けてもよい。クリップを、型抜き切断により、クリップ上下部及び舌部を作成して、カードに形成してもよい。天然又は合成ゴム製の掴持面を舌部に存在させて、書類に対するクリップ掴持部の掴持力を増強してもよい。２種類のノートパッドを、カードの前面に配置して、筆記面及びラベル付け面を提供してもよい。ノートパッドを、感圧接着剤で束ね、それによりノートパッドを１枚ずつ取外して、別の面に接着してもよい。【選択図】図１
2008543609.tif 000002
【特許請求の範囲】
【請求項１】
１枚又は複数枚の紙を掴持及び保持でき、且つ改良した機能を提供して、チームメンバー間での協同、調整及び伝達を促進できるオーガナイザー装置であって、該装置には：
準長方形の人間工学的形状を有し、頑丈なカードストックから形成するカードであって、該カードの１部分を該カードのその他の部分から取外可能にする略直線のミシン目を有するカード；
該カードに形成し、少なくとも１枚の紙を保持するよう構成するクリップであって、クリップ下部、クリップ上部、舌部、該舌部の中心領域に配設する複数のミシン目を付けた部分、及び前記舌部の下側縁部に配置する複数の隆起したバンプを有するゴム製のシムを備えるクリップ；
前記カードの前面に取外可能に固定する主ノートパッドであって、複数枚の紙を備える主ノートパッド；
前記カードの前面に取外可能に固定する副ノートパッドであって、複数枚の紙を備える副ノートパッド；
前記カードの前面に回転可能に実装する第１フラグ；及び、
前記カードの裏面に回転可能に実装する第２フラグ、
を備えること、を特徴とするオーガナイザー装置。    
【請求項２】
前記主ノートパッドを構成する前記複数枚の紙を、感圧接着剤で束ね、前記副ノートバッドを構成する前記複数枚の紙を、感圧接着剤で束ねること、を特徴とする請求項１に記載のオーガナイザー装置。
【請求項３】
前記クリップを、所定サイズの名刺を保持するよう構成すること、を特徴とする請求項１に記載のオーガナイザー装置。
【請求項４】
前記カードには、該カードの前面に配設する前面側ラミネート層によって形成する第１筆記面、及び前記カードの裏面に配設する裏面側ラミネート層によって形成する第２筆記面を、更に備えること、を特徴とする請求項１に記載のオーガナイザー装置。
【請求項５】
前面及び裏面を有するカード；及び、
前記カードに形成し、少なくとも１枚の紙を保持するよう構成するクリップであって、該クリップには：
クリップ下部；
クリップ上部；
舌部；及び、
前記舌部に配置する少なくとも１つの掴持面、
を備えること、を特徴とするオーガナイザー装置。
【請求項６】
前記舌部には、少なくとも１つの取外可能なミシン目付部分を更に備えること、を特徴とする請求項５に記載のオーガナイザー装置。
【請求項７】
前記少なくとも１つの取外可能なミシン目付部分には、少なくとも１つのミシン目付ボックスを備えること、を特徴とする請求項６に記載のオーガナイザー装置。
【請求項８】
前記掴持面には、天然ゴム製シムを備えること、を特徴とする請求項５に記載のオーガナイザー装置。
【請求項９】
前記掴持面には、合成ゴム製シムを備えること、を特徴とする請求項５に記載のオーガナイザー装置。
【請求項１０】
前記掴持面には、複数の隆起したバンプを備えること、を特徴とする請求項５に記載のオーガナイザー装置。
【請求項１１】
前記クリップには、２側縁部及び１底縁部を有する切欠形状を更に備えること；前記側縁部で、クリップ上部及びクリップ下部を画定すること；及び前記舌部は、前記切欠形状の前記底縁部に向かい延伸すること、を特徴とする請求項５に記載のオーガナイザー装置。
【請求項１２】
前記クリップを、名刺を保持するような構成にするようにして、前記切欠形状を構成すること、を特徴とする請求項１１に記載のオーガナイザー装置。
【請求項１３】
前記切欠形状の前記２側縁部間の距離を、略１．９８８インチにして、２インチの幅寸法を有する名刺を保持すること、を特徴とする請求項１２に記載のオーガナイザー装置。
【請求項１４】
前記カードの前面に取外可能に固定する主ノートパッドを更に備えること、を特徴とする請求項５に記載のオーガナイザー装置。
【請求項１５】
前記主ノートパッドには、前記カードに重なるよう構成するノートパッドを備え、該ノートパッドには、感圧接着剤で取外可能に束ねた複数枚の紙を備えること、及び前記主ノートパッドを、前記カードの前面に感圧接着剤で取外可能に固定すること、を特徴とする請求項１４に記載のオーガナイザー装置。
【請求項１６】
前記カードの前面に固定する副ノートパッドを更に備えること、を特徴とする請求項１４に記載のオーガナイザー装置。
【請求項１７】
前記カードの裏面に配置する接着片を更に備えること、を特徴とする請求項５に記載のオーガナイザー装置。
【請求項１８】
接着片を覆う取外可能な紙片を更に備えること、を特徴とする請求項１７に記載のオーガナイザー装置。
【請求項１９】
前記カードを、約０．８ポンド−約０．２０ポンドの重さを有するカード用紙から構成すること、を特徴とする請求項５に記載のオーガナイザー装置。
【請求項２０】
前記カードの表面をラミネート加工すること、を特徴とする請求項１９に記載のオーガナイザー装置。
【請求項２１】
前記カードに回転可能に連結するフラグを更に備えること、を特徴とする請求項５に記載のオーガナイザー装置。
【請求項２２】
前記カードの前面に回転可能に結合させる第１フラグ、及び前記カードの裏面に結合させる第２フラグを更に備えて成り、前記第１フラグ及び前記第２フラグを、視覚的に区別可能に構成すること、を特徴とする請求項５に記載のオーガナイザー装置。
【請求項２３】
前面及び裏面を有するカード；及び、
前記カードに配設し、少なくとも１枚の紙を保持するよう構成するクリップ、を備えて成り、
前記カードには、上部、下部、及び該上部と該下部との間にミシン目を備え、それにより前記下部を前記上部と分離可能に接続させること、
を特徴とするオーガナイザー装置。
【請求項２４】
前記カードの下部には、少なくとも１つのミシン目を付した打抜き部を備え、それにより前記少なくとも１つの打抜き部を前記下部に分離可能に接続すること、を特徴とする請求項２３に記載のオーガナイザー装置。
【請求項２５】
前記カードには４辺を備える準長方形状を有し、該４辺夫々は前記カードをユーザが簡単に把持するように全体的に凹状外縁部を有すること、及び前記カードの形状には、前記カードの４辺中１辺の中間点付近に配設するローブを更に備えること、を特徴とする請求項２３に記載のオーガナイザー装置。
【請求項２６】
前記ローブを前記カード下部に配設し、前記ローブには索引機能を備えること、を特徴とする請求項２５に記載のオーガナイザー装置。
【請求項２７】
前記クリップを前記カードに形成し、前記クリップには：
クリップ下部；
クリップ上部；
舌部；
前記舌部に配置する少なくとも１つの掴持面；及び、
２側縁部及び１底縁部を有する切欠形状を更に備えて成り；
前記舌部は、前記窓部の前記底縁部に向かい延伸すること、
を特徴とする請求項２３に記載のオーガナイザー装置。
【請求項２８】
前面及び裏面を有するカード；
前記カードに配設し、少なくとも１枚の紙を保持するよう構成するクリップ；
前記カードの前面に取外可能に接着する主ノートパッド；及び、
前記カードの前面に取外可能に接着する副ノートパッド、
を備えること、を特徴とするオーガナイザー装置。
【請求項２９】
前記主ノートパッドには、前記カードに重なるように構成したノートパッドを備え、該ノートパッドには、感圧接着剤で取外可能に束ねた複数枚の紙を備えること、及び前記主ノートパッドを、前記カードの前面に、感圧接着剤で取外可能に接着すること、を特徴とする請求項２８に記載のオーガナイザー装置。
【請求項３０】
前記副ノートパッドには、前記カードの前面に接着するよう構成したノートパッドを備え、該ノートパッドには、感圧接着剤で取外可能に束ねた複数枚の紙を備えること、及び前記主ノートパッドを、前記カードの前面に、感圧接着剤で取外可能に接着すること、を特徴とする請求項２８に記載のオーガナイザー装置。
【請求項３１】
前記主ノートパッドには、５−１５枚の紙を備えること、を特徴とする請求項２９に記載のオーガナイザー装置。
【請求項３２】
前記副ノートパッドには、５−１５枚の紙を備えること、を特徴とする請求項３０に記載のオーガナイザー装置。
【請求項３３】
カード及び該カードに形成したクリップを有するオーガナイザー装置を作製する方法であって、該方法には：
紙を少なくとも１枚のカード用に提供するステップ；
前記カードをレーザによる型抜きで切断して、舌部及び切欠形状を有するクリップを形成するステップ；
前記紙から前記カードを切断するステップ、
を備える方法。
【請求項３４】
インクを少なくとも１枚のカード用に提供するステップ；及び、
前記少なくとも１枚のカードに所定のパターンを印刷するステップ、
を更に備えること、を特徴とする請求項３３に記載の方法。
【請求項３５】
接着片を前記少なくとも１枚のカードの裏面に貼付けるステップを更に備えること、を特徴とする請求項３３に記載の方法。
【請求項３６】
前記クリップの前記舌部に、掴持面を接着するステップを更に備えること、  を特徴とする請求項３３に記載の方法。
【請求項３７】
前記カード上に所定のテキストをエンボス加工するステップを更に備えること、を特徴とする請求項３３に記載の方法。
【請求項３８】
前記カードの少なくとも片面をラミネート加工するステップを更に備えること、を特徴とする請求項３３に記載の方法。
【請求項３９】
少なくとも１つのフラグを前記カードに取着するステップを更に備えること、  を特徴とする請求項３３に記載の方法。
【請求項４０】
前記カードをレーザによる型抜きで切断して、舌部及び切欠窓部を有するクリップを形成するステップ、及び紙から前記カードを切断するステップには夫々、ミシン目を付した輪郭を切断するステップを備えること、を特徴とする請求項３３に記載の方法。
【請求項４１】
オーガナイザー装置を使用する方法であって、該装置には、準長方形の人間工学的形状を有し、頑丈なカードストックから形成するカードであって、該カードの１部分を該カードのその他の部分から取外可能にする略直線のミシン目を有するカードと；該カードに形成し、少なくとも１枚の紙を保持するよう構成するクリップであって、クリップ下部、クリップ上部、舌部、該舌部の中心領域に配設する複数のミシン目を付した部分、及び前記舌部の下側縁部に配置する掴持面を備えるクリップと、を含むオーガナイザー装置を使用する方法には：
少なくとも１枚の紙を前記クリップに挿入し、それにより前記クリップ掴持面で前記紙を保持するステップ；及び、
前記少なくとも１枚の紙に関する状態情報を表示するステップ、
を備えることを特徴とする方法。
【請求項４２】
前記表示ステップには、前記舌部のミシン目付部分の少なくとも１つに状態情報を表示するステップを備えること、を特徴とする請求項４１に記載の方法。
【請求項４３】
前記表示ステップには、前記舌部の前記中心領域から前記ミシン目付部分の少なくとも１つを取外すステップを備えること、を特徴とする請求項４１に記載の方法。
【請求項４４】
前記表示ステップには、前記カードの前面に配設した筆記面に情報を筆記するステップを備えること、を特徴とする請求項４１に記載の方法。
【請求項４５】
前記オーガナイザー装置には、主ノートパッドを更に備え、前記表示ステップには、前記主ノートパッドの１枚に情報を筆記することを備えること、を特徴とする請求項４１に記載の方法。
【請求項４６】
前記主ノートパッドの１枚を、前記クリップで保持した紙の１枚の指定した部分に、取外可能に接着するステップを更に備えること、を特徴とする請求項４５に記載の方法。
【請求項４７】
前記オーガナイザー装置には、前記カードの表面に回転可能に連結する第１フラグを更に備え、前記表示ステップには、前記第１フラグを回転させるステップを備えること、を特徴とする請求項４１に記載の方法。
【請求項４８】
前記オーガナイザー装置には、前記カードの表面に回転可能に連結する第１フラグ、及び前記カードの裏面に回転可能に連結する第２フラグを更に備え、前記表示ステップには、前記第１フラグ及び前記第２フラグを選択的に回転させるステップを備えること、を特徴とする請求項４１に記載の方法。
【請求項４９】
前記表示ステップには、前記略直線のミシン目に沿って取外可能な前記カード部分に状態情報を筆記するステップを備えること、を特徴とする請求項４１に記載の方法。
【請求項５０】
前記カードの１部分を、前記略直線のミシン目に沿って前記カードの他の部分から取外するステップを更に備えること、を特徴とする請求項４９に記載の方法。
【請求項５１】
前記カードの取外可能な部分を、ファイルに保存するように構成すること、及び前記方法には、カードファイルに前記カードの前記取外可能部分をファイルするステップを更に備えること、を特徴とする請求項５０に記載の方法。
【請求項５２】
前記クリップを、名刺を保持するよう構成し、前記表示ステップには、前記クリップに名刺を挿入し、それにより前記クリップで前記名刺を保持することを備えること、を特徴とする請求項４１に記載の方法。
【発明の詳細な説明】
【関連出願】
【０００１】
本出願は、２００５年６月１４日に出願された米国仮特許出願第６０／６９０，２９４号、発明の名称“メモクリップ”の利益を主張するものである。
【０００２】
また、本出願は、上記仮出願を参照により完全にここに組み込むものとする。
【技術分野】
【０００３】
本発明は一般的に事務用品分野に関し、より詳細には、本発明は、関連情報を組織化するための装置に関する。
【背景技術】
【０００４】
現代のチーム志向の職場では、チームのメンバー間での協同、調整及び伝達が、良質の製品やサービスを効果的に提供するには不可欠である。しかし今まで、要求される機能の幾つかを提供するのに、クリップを使用したオーガナイザーの作製が試みられたものの、製品やサービスの供給を強化するのに必要な協同、調整及び伝達機能を供給するには程遠いものであった。
【０００５】
殆どあらゆる産業で、チームのメンバー間で生産的に協同することが、確実に良質な製品又はサービスを供給して、顧客を満足させるために、不可欠である。例えば、協同取組みが、例えば製品開発、宣伝、ライセンス、製造、患者管理、航空機の離着陸許可、購買、財源及び予算、ＨＲ、日程計画及び様々なサービス等の活動には求められる。効果的にチームの協同取組みを監視するために、マネージャーも同様に多数の変化について気を配る必要があるし、チームメンバー間の協同は、最も効果的に人的資源を活用するためには欠かせない。
【０００６】
同様に、確実に良質な製品やサービスを提供するために、マネージャーはチームメンバー及び課業を調整する責任を負っている。かかる調整を典型的には、確実に活動をそれらの重要度に応じて実施させ、且つ軋轢を最小限に抑えて実施することに対して、行っている。
【０００７】
チームメンバー間又は労働者と監督者間の職場での伝達は、如何なるプロジェクトを成功させるにも不可欠である。効果的な伝達によって、曖昧さや認識違いを最小限にできる。或は、間違った伝達が、不十分な決定や製品の品質を悪化させる原因にも成り得る。
【０００８】
職場環境で文書を扱う場合、書類止めクリップ、大型クリップ、テープフラグ及び粘着メモを使用して、チームメンバー間での伝達を容易にしてきた。しかしながら、こうした装置は、精々、狭い筆記面を提供し、典型的には後のチームメンバーに永久的に記録を残す仕組みがないため、チームメンバー間での調整、伝達及び協調を促進する能力については全く限定的である。
【発明の開示】
【０００９】
上記の欠点を考慮すると、１枚又は複数枚の紙を掴持及び保持でき、改良した組織化機能を提供するオーガナイザー装置が必要である。加えて、チームのメンバー間での協調、調整及び伝達を容易にするクリップを利用したオーガナイザー装置が必要である。
【００１０】
従来技術の限定的な組織化機能とは対照的に、本発明の実施例の１側面は、１枚又は複数枚の紙を掴持及び保持できるオーガナイザー装置を提供し、チームメンバー間での協調、調整及び伝達を容易にするために、改良した組織化機能を提供する点である。これらのオーガナイザー装置は、１枚又は複数枚の紙、フォルダ、文書又はレポートの辺にクリップで止まるようになっている。これらのオーガナイザー装置は、幅広い適用性があり、多くの産業で使用できる。例えば、これらのオーガナイザー装置を使用して、製造工程、小売業の販売促進、ソフトウェア使用許諾、映画製作の編集用下見フィルム、又は航空管制でのパイロットへの離着陸許可等で、品質管理に関するタグ付機能を果たせる。本発明の様々な実施例で実現される利点により、本質的に時間節約という価値を提供する。
【００１１】
オーガナイザー装置の別な側面は、従来のオーガナイザー及び粘着ノートに関して存在する限定的な機能を解決して、人々を支援する点である。本発明のオーガナイザー装置の目的は、改良した機能、例えば索引ファイリングカード機能、筆記面、印表示面、及び増強した掴持力等を有するオーガナイザー装置を提供することである。
【００１２】
実施例には、単層及び／又は複数層の紙、カードストックタイプの物質、及びクリップ止めできる又はタグ付けできる可動要素に取着可能な、クリップを利用したオーガナイザー装置を含む。本発明のクリップを利用したオーガナイザーを効果的に使用して、Ａ）管理及び戦略的機能（例：品質／顧客満足）；Ｂ）チームワーク及びシステム化した合意形成；及びＣ）情報、メッセージ、又は命令の交換を、有益に最適化してもよい。
【００１３】
特定の実施例では、オーガナイザー装置は、１枚又は複数枚の紙を掴持及び保持でき、改良した機能を提供して、チームメンバー間での協調、調整及び伝達を容易にする。オーガナイザー装置には、準長方形の人間工学的形状を有し、頑丈なカードストックから形成するカードと、該カードに形成し、少なくとも１枚の紙を保持するよう構成するクリップと、該カードの前面に取外可能に固定する主ノートパッドと、該カードの前面に取外可能に固定する副ノートパッドと、該カードの前面に回転可能に実装する第１フラグと、該カードの裏面に回転可能に実装する第２フラグと、を備える。カードには、カードの１部分を該カードのその他の部分から取外可能にする略直線のミシン目を有する。クリップには、クリップ下部と、クリップ上部と、舌部と、該舌部の中心領域に配設する複数のミシン目を付けた部分と、上記舌部の下側縁部に配置する複数の隆起したバンプを有するゴム製のシムとを備える。主ノートパッドには複数枚の紙を備え、副ノートパッドには複数枚の紙を備える。
【００１４】
他の特定の実施例では、オーガナイザー装置には、前面及び裏面を有するカードと、該カードに形成し、少なくとも１枚の紙を保持するよう構成するクリップを備える。カードを、所望する形状に切断したカードストック重量紙から構成してもよい。カードを少なくとも片面でラミネート加工して、耐久性を増強し、再使用可能な筆記面を提供してもよい。カードには、区別可能な印を配置してもよい多数の領域を有する。クリップには、クリップ下部、クリップ上部、舌部、該舌部に配置する少なくとも１つ掴持面を、更に備える。クリップを、単層及び／又は複数層の紙、カード用紙タイプの物質、及びクリップ止めできる又はタグ付けできる可動要素に取着するよう、構成する。クリップに汎用性を持たせると、オーガナイザー装置を、様々な指定位置（文書／レポートの最上部、底部、左又は右縁部）に位置させて、取着した１枚又は複数枚の紙に関する重要な領域をハイライトできる。クリップの掴持面を、天然ゴム又は合成ゴム製のシムで構成してもよい。掴持面と取着した文書との間での摩擦を強化するために、掴持面を、隆起させた円形のバンプ等の機能で凹凸を付けてもよい。掴持した文書に関して更に安定性を強化するために、カードの裏面に粘着片を有してもよい。
【００１５】
他の特定の実施例では、オーガナイザー装置は、前面及び裏面を有するカードと、該カードに配置し、少なくとも１枚の紙を保持するよう構成するクリップを備える。カードには、上部、下部、及び該上部と該下部との間にミシン目を備え、それにより下部を上部と分離可能に接続させる。下部には更に、取外可能な打抜き部分を有して、カードの取外可能な下部のための、カードをファイルして行うような索引機能又は着脱可能な受領書機能を容易にする。
【００１６】
また別の実施例では、オーガナイザー装置は、前面及び裏面を有するカードと、該カードに配設し、少なくとも１枚の紙を保持するよう構成するクリップと、カードの前面に取外可能に接着する主ノートパッドと、カードの前面に取外可能に接着する副ノートパッド、を備える。主及び副ノートパッドには、感圧接着剤領域を有してもよい。パッド自体は、メモを書込みするためのものである。更にまた、これらのメモを戦略的に取外せ、正当な理由がある場合には、二次文献に載着できる。これら２種類のノートパッドを、必要に応じて交換できる。追加の筆記面をカードの前面及び裏面に提供して、その両面を、可洗性インクマーカーを使用した場合に、容易に書換可能な面にするために、ラミネート加工してもよい。
【００１７】
別の実施例では、カード及び該カードに形成するクリップを有するオーガナイザー装置を作製する方法について、開示している。この方法には、紙を少なくとも１枚のカード用に提供すること、該カードをレーザによる型抜きで切抜いて、舌部及び切欠窓部を有するクリップを形成すること、及び紙から該カードを切断すること、を含む。レーザによる型抜き切断により、クリップを正確な公差で切断でき、それによって、標準サイズの（２インチ幅）名刺又は他の既知の文書を保持するのに使用してもよいクリップの製造が容易になる。
【００１８】
更に別の実施例では、オーガナイザー装置を使用する方法について開示している。オーガナイザー装置には、準長方形の人間工学的形状を有し、頑丈なカードストックから形成するカードと、該カードに形成し、少なくとも１枚の紙を保持するよう構成するクリップとを、含み、該クリップにはクリップ下部を備える。カードには略直線のミシン目を有し、それにより該カードの１部分を該カードのその他の部分から取外可能にする。クリップには、クリップ下部と、クリップ上部と、舌部と、該舌部の中心領域に配設する複数のミシン目を付けた部分と、該舌部の下側縁部に配置する掴持面とを含む。オーガナイザー装置を使用する方法には、少なくとも１枚の紙をクリップに挿入し、それによりクリップ掴持面で上記紙を保持すること；及び上記少なくとも１枚の紙に関する状態情報を表示すること、を含む。
【００１９】
オーガナイザー装置の実施例は、有利には、情報輸送、索引ファイルカード、名刺ホルダー、プロジェクト状態表示、及びノート又はメモ筆記面等の改良した管理機能を備えたオーガナイザーとしての役割を果たす。このように、オーガナイザー・デバイス装置により、メモを書込む、そうしたメモ又は保持する文書に関する評価又は重要度を記す、及びプロジェクトに関する文書整理及び／又は管理に対して更に高度な有用性を付与する能力を提供する。
【００２０】
様々な実施例によると、オーガナイザー装置を、様々な意図した用途に対応する様々な所望の形状及びサイズに作成してもよい。オーガナイザー装置により、様々な機能を提供して、該装置で支援する調整、伝達及び協調を強化してもよい。例えば、プロジェクトに関する特定種類の役割領域を指定するヘッダを、オーガナイザー装置のカード上に表してもよい。その上、オーガナイザー装置には、プロジェクトに関する重要度（例えば１-５の評価尺度で）及び進捗割合（０％-２５％５０％-７５％-１００％）を示すミシン目付ボックス、又は特定の決定が行われたことを、将来の文書利用者に知らせる回転可能なフラグも、備えてもよい。
【００２１】
本発明及び従来技術と比較して達成した利点について纏める目的で、本発明の特定の態様及び効果について上述したが、同様に以下でも更に記述する。勿論、当然ながら、必ずしも、全てのかかる態様又は効果が、本発明の如何なる特定の実施例に従って達成されるものではない。従って、例えば、特定の実施例で、ここで教示するような１効果又は効果群を、ここで教示又は提案するような他の態様又は効果を必ずしも達成することなく、達成又は最適化するかも知れないことを、当業者は認識するであろう。
【００２２】
これらの実施例の全ては、ここで開示した本発明の範囲内にあることを意図するものである。本発明のこれら及び他の実施例については、当業者には、添付図を参照して行う、以下の好適な実施例に関する詳細な記述から容易に明白となろうが、本発明は、開示する如何なる特定の好適な実施例に限定されるものではない。
【発明を実施するための最良の形態】
【００２３】
具体的には、図１及び図２に関しては、本発明のオーガナイザー装置について示している。図１はオーガナイザー装置の実施例の正面図を示しており、図２は図１のオーガナイザー装置の背面図を示している。図１で示すように、オーガナイザー装置には：前面１０を有するカード１、及び舌部１１と掴持面１２を備えるクリップ２を備える。ユーザ環境によって、オーガナイザー装置をどのように役立てて、オーガナイザー装置のユーザにとって有意義な方法で、プロジェクトに関する様々な役割を組織化するかを決めてもよい。従って、以下で更に詳細に記述するように、オーガナイザー装置において異なる機能を様々に組合せて統合して、本発明によるオーガナイザー装置の様々な実施例を形成する。
【００２４】
オーガナイザー装置のカード
カード１は、頑丈なカードストック又は他の柔軟な材料から構成してもよい。好適には、カード１を、重さ０．８−０．２０を有するカードストックから構成する。カード１を少なくとも片面でラミネート加工して、耐久性を加え、最使用可能な筆記面を提供してもよい。例えば、前面１０か裏面２０（図２）のどちらか又はそれら両面をラミネート加工して、洗浄性インクマーカーで筆記した場合に、再使用可能な筆記面を提供してもよい。好適には、このラミネートを、明確に厚さ約０．１ｍｉｌ−０．９ｍｉｌとするが、他の厚みも考えられ、それらは本発明の範囲内とする。
【００２５】
好適な１実施例では、オーガナイザー装置のカード１には、その略中間部分で水平にミシン目を入れ、それによりカード１の下部６を上部から取外可能にする。ミシン目５をオーガナイザー装置のカード１に水平方向に配設し、このミシン目により、下部６を取外せる。特定の実施例では、下部６には少なくとも１本のノックアウト・タブ２２も含み、該タブにより、オーガナイザー装置の取外可能な下部６をカード索引ファイルに差込み可能にする。有利には、このカード索引機能によって、次の文書利用者が索引を付けた文書に関連する情報を迅速に探せるため、グループメンバー間の伝達及び協同を促進するかも知れない。
【００２６】
特定の実施例では、図１及び図２で示すように、オーガナイザー装置のカード１を準長方形の人間工学的形状とする。この形状は、その４外辺に沿って凹状縁部２１（人的要因のために）を有し、切れ込みのある外観となっている。第５ローブ２９を底辺中心に配設してもよく、オーガナイザー装置を上げ、下げ又は移動させるための取手として使用してもよい。こうした切れ込み形状により、オーガナイザー装置を美学的に見て美しく且つ人間工学的なものにしている。説明した独特の切れ込み形状は、特定の人間工学的利点を有すると思われるが、他の同様な人間工学的利点を備える形状も使用してもよい。
【００２７】
オーガナイザー装置カード１を、クリップ２及びミシン目５に沿って、好適には、綺麗で鋭く耐久性のある縁部を生成するために、レーザによる型抜きによって切目を入れる。別の実施例では、オーガナイザー装置には、カード全体に亘りミシン目で簡単に切り離せるようにして、オーガナイザー装置を一枚ずつ切離可能にし、これを家庭用又は事務用プリンタに給送してもよい；このように、オーガナイザー装置の内容又はテーマを独自のものにできるように、或は必要に応じて、オーガナイザー装置カード１を連続して製造できるようにする。有利には、こうした印刷可能な構成によって、本発明のオーガナイザー装置を多種多様な用途に適合可能になり、それによりオーガナイザー装置の様々な実施例が提示する協調利益が、幅広く利用可能になるかも知れない。
【００２８】
第５ローブ２９により、前面（図１に示す）及び裏面（図２に示す）に表示印を配置するために提供する。例えば、第５ローブ２９の前面又は裏面に、（粘着性の剥離式）ステッカー又は（サーモグラフィ等の従来技術で既知の処理によりプラスチック粒子を溶融して隆起させた）印刷文字で表示してもよい。表示印を使用して、オーガナイザー装置カード１の索引を付けた１つの下部６をグループの中から、ローブの色又は英数字記号表示等の表示印を見て、識別できる。第５ローブ２９の湾曲した設計により、オーガナイザー装置のラベルを付けた部分を、ページ上方に位置でき、そのため受取対象となるユーザが、紙に挟んだ際に、最上部からそのオーガナイザー装置を把持できるかも知れない。
【００２９】
形状に関しては同様だが、オーガナイザー装置カード１のサイズを、好適には約１．９インチｘ２．３インチ−約３．５インチｘ４．７５インチとしてもよい。望ましくは、オーガナイザー装置カード１の寸法を、約１．５インチ−１１インチとする。これらの大きさは明示的な例であるが、他のサイズも、必要に応じて、オーガナイザー装置の用途分野に従い含んでもよい。
【００３０】
１好適実施例では、小型の略三角形のフラグ１５を、グロメット２８又は他の止め具を利用して、オーガナイザー装置のカード１の上角に配置する。グロメット２８又は他の止め具を、カード１の切欠開口部２７、例えば打抜き開口部に挿入してもよい。フラグ１５を、プロジェクトの進捗状況を示す及び／又は注意が必要なことを示す付加的な伝達手段として、オーガナイザー装置カード１面で回転可能にする。例えば、フラグ１５を、特定のタスクについて続行するべきか否かを示す、所謂継続か中止かの決定を示すのに用いてもよい。特定の実施例では、フラグ１５を色分けしてもよい。例えば、フラグ１５を緑色にして、添付したメモ又は他の文書に関して、継続する決定が既に為された旨を示してもよい。特定の実施例では、フラグ１５をラミネート加工してもよい。有利には、フラグ１５によって、ある被挟物を見た者が文書の次なる利用者との間で伝達が可能になり、例えば、特定の被挟物に関して興味があることを示せたり、或は特定の被挟物に関して決定に到達したことを示せたりできる。
【００３１】
オーガナイザー装置のクリップ
クリップ２で、１枚又は数枚の紙、フォルダ、レポート、文書、マニュアル又は他の類似した面の縁部を保持してもよい。１枚又は数枚の紙、フォルダ、レポート、文書、マニュアル又は他の類似した面を、ここでは被挟物と総称する。図示したように、クリップ２をクリップ上部３、クリップ下部４、及び舌部１１を規定するクリップ２の切欠形状１３によってカード１上に形成する。切欠形状１３を、型抜きによって形成してもよい。好適には、切欠形状１３を、レーザによる型抜きによって形成する。有利には、レーザで型抜きすることで、精密な公差が得られ、それによりクリップ２を、特定の文書サイズを保持するよう構成できる。特定の実施例では、型抜き窓部として形成した切欠形状１３を、オーガナイザー装置カード１の上半分に左右方向中心で位置させる。切欠形状１３には、両側辺、及び略直線に切断し、曲線の縁部と連結して成る底辺を有する。舌部１１は、切欠形状１３の底辺に向かい延伸する。図示するように、舌部１１の縁部と切欠形状１３との間には、取外したカード材料の開口部８が存在する。以下に更に詳細に述べるように、切欠形状１３の両側辺で、クリップ上部３とクリップ下部４を作成するよう構成するが、これを切欠形状１３を、取着した被挟物の縁部を（舌部１１と切欠形状１３の上端部とが接合する箇所に）掴持するよう構成して、行う。クリップ上下部３、４、及び切欠形状１３を、両側辺切込みをそれらの上端部付近で上方に及び外方に若干拡張して構成することで、オーガナイザー装置が被挟物を掴持する際に、舌部１１及びクリップ２の掴持力を増大するよう働く。有利には、オーガナイザー装置の掴持能力が高いと、チームメンバー間での協調及び伝達が、粘着メモとは異なり、オーガナイザー装置が取着した被挟物から離れにくくなるため、促進される。
【００３２】
特定の実施例では、切欠形状１３の全幅を１．９８８インチ幅として、縦置きで幅２インチ（横置きの場合は高さ２インチ）を有する標準的サイズの名刺に応じた張力を発生させる。このように、クリップ２の切欠形状１３を名刺ホルダー１８としても機能させ、その結果１枚又は複数の名刺をオーガナイザー装置のクリップ２に保持しながら、被挟物に接着できる。こうした名刺を保持する機能により、オーガナイザー装置は、被挟物に関する主要な責任を担うユーザ等の連絡先を、被挟物と共に保持できるため、チームメンバー間での伝達が促進される。
【００３３】
クリップ下部４には、内面に開口する下方向に向かう口部を有し、該口部を、文書、レポート、フォルダ又はボード状用具（マニュアルを含む）等の被挟物を前縦縁部で、クリップを下降させて被挟物を挟み、それによりクリップ２の口部を押し開いて、被挟物を受容するように形成する。クリップ上部３には、内面に開口する上方向に向かう口部を有し、該口部を、直径が異なる別々の円筒形状被挟物を受容するように形成する。
【００３４】
オーガナイザー装置を被挟物に用いる場合、まず、クリップ下部４を被挟物上に置くが、被挟物をクリップ２に圧入し、それにより舌部１１がカード１から離れるよう付勢し、それによりクリップ２は定位置に被挟物を受容し保持する。次に、被挟物を更にクリップ２内部に進め、それによりオーガナイザー装置のクリップ上部３が押圧され離れて、定位置に被挟物を受容し保持する。
【００３５】
掴持面１２を、増強した掴持力を提供する、天然ゴム又は合成ゴム等の材料製としてもよい。好適には、掴持面１２には、舌部１１の下側縁部に配置するシムを備えて、粘着面として機能させて、掴持する被挟物に対する掴持を強化する。掴持面１２にはまた、舌部１１の上側縁部に亘り略水平に延伸する横シム１６も備えてもよい。掴持面１２には、変化に富んだ面、例えば小さな隆起領域を複数設けて、掴持面１２が多様な種類の表面を掴持するのを助けてもよい。有利には、掴持面１２を書類又は文書と接触させてクリップ２で保持すると、舌部１１の引張強度が増大する。加えて、変化に富んだ面にすると、掴持面１２によって、オーガナイザー装置を指で掴持した感触が一層良好なものになる。
【００３６】
特定の実施例では、舌部１１の前面には、タスクの達成度合いを示すためのミシン目付部分１４、又は小さなマーク及び／又はミシン目に沿ってある部分を打抜くことで示せるその他の印を、含む。それらについては、略正方形をしたミシン目付ボックスで図示したが、ミシン目付部分１４を任意の所望する形状、例えばミシン目付略円形切片としてもよい。
【００３７】
特定の実施例では、エンボス領域７を、ミシン目付部分１４下で舌部１１の前面に配置する。エンボス領域７を使用して、カスタマイズ可能なロゴ又は他の独自の情報を提示してもよい。例えば、商号名又は他の広告用印を、エンボス領域７にエンボス加工できる。
【００３８】
オーガナイザー装置で提供する筆記面及び印面
クリップ２の下に、カード１の表面には、罫線を有する筆記面１７を含み、そこに所見を主題に関して記録してもよい。或は、筆記面１７には罫線を設けなくてもよい。特定の実施例では、カード１の前面１０をラミネート加工して、可洗性インクマーカーで使用するための最使用可能な筆記面を、クリップ２下でカード１の前面１０に提供する。このように書換可能にすることで、被挟物を見た複数の人々が、彼らの意見やコメントを会話の様に遣り取りして、効果的に伝達可能になり、その結果チームメンバー間の協調が促進される。
【００３９】
図３及び図４に関して以下に更に詳細に記述するように、好適な実施例では、約５〜１５枚の主ノートパッド３０（図３）を、クリップ１の前面１０上で、一般的には筆記面１７上に配置する。約５〜１５枚の副ノートパッド（図４）を、クリップ１の前面１０上で、一般的にはクリップ２の舌部１１上方に配置する。有利には、これらのノートパッドにより、広くて補充可能な筆記面領域を、ノート、メモ及びラベルに関して提供する。また、これらのノートパッドによって、チームメンバーがチームの他のメンバーが見る特定の被挟物の部分に関して意見やコメントを提供可能なため、プロジェクトに関する伝達、調整、協調を強化できる。
【００４０】
オーガナイザー装置を使用して被挟物を保持した場合、クリップ２より上のカード１の最上部が、オーガナイザー装置が掴持する１ページ又は複数ページより上に延在する。この最上部に、色分け等視覚的手掛りを設けて、オーガナイザー装置の可視性を増大させ、従って状況によって複数の色分けしたオーガナイザー装置の使用を促進してもよい。
【００４１】
加えて、好適な１実施例では、カード１の上下部分を、ＵＶコーティングを施して、可視性を増大できる。
【００４２】
カードの裏面
図２では、図１のオーガナイザー装置の背面図を表す。カード１には、裏面２０を備える。図１に関して更に詳細に記述するように、クリップ２をカード１に切欠形状１３でクリップ上部３及びクリップ下部４を画定して形成するが、これがカード裏面２０では視認できる。
【００４３】
好適には、カード１の裏面２０全体を、約０．１ｍｉｌ〜０．２０ｍｉｌの透明なラミネート２５でラミネート加工する。このラミネートにより、強度と耐久性をオーガナイザー装置に加える。
【００４４】
カード１の裏面２０の、前面１０の筆記面１７に対応する領域には、広告及び／又は企業特有の情報用余白２４を含んでもよい。余白２４を、罫線が無い筆記領域として使用してもよい。或は、裏面２０をラミネート加工した実施例では、余白２４を可洗性インクマーカーで使用するための再使用可能な筆記面として機能させてもよい。裏面２０の余白２４を、極秘情報を保存するのに使用してもよい。オーガナイザー装置を前面１０をクリップ２で保持する被挟物の前側にして、舌部１１の裏側に配置する場合、前面１０の筆記面１７が視認できる。しかし、裏面２０の余白２４が内側に向き、添付した被挟物で覆い隠され、機密情報を秘匿できる。
【００４５】
カード１の裏面２０には、カード１の下部６に罫線を付した筆記領域を含み、索引カードとして使用してもよい。例えば、第５ローブ２９に表示を付けて、カードの取外可能な下部６が、オーガナイザー装置の意図した用途に基づく情報及び／又は他の情報について、完成／完成途中かを示してもよい。
【００４６】
カード１の裏面２０の最上領域を、カード１の前面１０の対応する領域と同様に、表示印又は色分け用空間として使用してもよい。
【００４７】
舌部１１の裏面も、同様に、ミシン目付部分１９（図１の前面１０に関して上述したものと同様の）及び印を表示できる小領域を含んでもよい。このように、オーガナイザー装置を、１枚又は複数枚の紙又は他の同様な物質に関して前方又は後方に配置してもよいよう設計する。
【００４８】
カード１の裏面２０には、グロメット２８についてカード軸で回転可能な裏側フラグ２６、又はカードに切欠した開口部２７に配置した他の留め具も、備えてもよい。裏側フラグ２６を前側フラグ１５と同様に使用して、情報又は決定について示してもよい。裏側フラグ２６及び前側フラグ１５を色分けして、特定の決定を行う必要があることを示してもよい。例えば、前側フラグ１５を緑色にして、“進行”を示し、裏側フラグ２６を赤色にして、“中止”を示してもよい。これらのフラグ１５、２６により、例えば、被挟物を２番目に見た者が、その文書に関して決定が既に為されたために、不必要な作業を実施しなくて済むこと分かる等、チームメンバー間での伝達及び調整を強化できる。
【００４９】
更なる取着手段として、オーガナイザー装置には、カード１の裏面２０に貼付する感圧接着剤２３のビーズを備えてもよい。感圧接着剤２３のビーズを、好適にはミシン目５の真上に配置し、カード１の下部６を分離可能にする。感圧接着剤２３を、オーガナイザー装置と関連させて固定装置として機能させ、カード１及びクリップ２を定位置で被挟物上で留める。加えて、カード１の裏面２０には、感圧接着剤２３細片を使うまで、感圧接着剤２３細片上に配置する透明な剥離式細片を有してもよい。好適には、感圧接着剤２３細片を、約１／４インチ幅とし、カード１の幅を拡張する。有利には、この接着片２３で、カード１が取着した被挟物から分離するのを防ぐことによって、伝達を強化する。
【００５０】
オーガナイザー装置の主ノートパッド
図３では、本発明のオーガナイザー装置の特定の実施例で使用するための、主ノートパッドの拡大図を示す。好適には、主ノートパッド３０には、約５枚−１５枚の紙を、感圧接着剤３１のビーズを最上部裏側に沿って走らせて、取外可能に束ねて、これを備える。図３では、数枚の主ノートパッド３０を、互いに分離させて、感圧接着剤３１ビーズを示した背面図を示す。このように、主ノートパッド３０では、主ノートパッド３０から取外し、オーガナイザー装置が保持する被挟物又は別の表面に接着してもよい粘着式メモを提供する。好適には、主ノートパッド３０のサイズ及び形状を、オーガナイザー装置のカード１の前面１０の一部分と同じ全体寸法及び輪郭とし、それにより主ノートパッド３０をカード１の前面１０の筆記面１７上に配置してもよい。しかしながら、他の構成の主ノートパッドで、同じ筆記面及び人間工学的機能を提供してもよいと、認められる。第５ローブ２９を主ノートパッド３０の最下端部の下に設けて、パッドをクリップから容易に取外しできるようにする。有利には、ユーザが全ての主ノートパッド３０の紙を使い切った場合、取替え用の主ノートパッドを、カード１に迅速かつ簡単に接着してもよい。そのため、オーガナイザー装置で提供する筆記面は実質的に無限であり、幅広くノート取り及びメモ筆記が可能である。特定の実施例では、主ノートパッド３０に、複数の略水平線３２を引いて、ノート取りを簡単にする。有利には、主ノートパッドにより、被挟物を見た者らが、その被挟物の指定された領域にコメントを書けるようにすることで、協調及び伝達を促進する。  
【００５１】
オーガナイザー装置の副ノートパッド
図４では、本発明のオーガナイザー装置で使用する副ノートパッドの拡大図を示す。好適には、副ノートパッド４０には、約５枚−１５枚の紙を、感圧接着剤４１のビーズを最上部裏側に沿って走らせて、取外可能に束ねて、これを備える。図４では、数枚の副ノートパッド４０を、互いに分離させて、感圧接着剤４１ビーズを示した背面図を示す。このように、副ノートパッド４０では、副ノートパッド４０から取外し、オーガナイザー装置が保持する被挟物又は別の表面に接着してもよい粘着式メモを提供する。副ノートパッド４０を望ましくは、主ノートパッド３０（図３）のサイズより小さくし、それにより幅広くノートを取る及びメモを筆記するよりはむしろ、副ノートパッド４０の紙を、重要な領域に付箋を付ける又は強調するために使用する。好適には、副ノートパッド４０を、クリップ２の真上でカード１の前面１０に粘着するよう、寸法取りし、構成する。副ノートパッド４０を、容易に強調表示用ツールとしての使用目的を果たすよう形成してもよい。例えば、図４で示すように、副ノートパッド４０を矢印形状にして、１枚の副ノートパッド４０を使用する際に、見る者の注意を特定の事項に向けるようにしてもよい。しかしながら、見る者の注意を引くように設計した他の形状を含む、他の形状をした副ノートパッド４０も、可能である。特定の実施例では、副ノートパッド４０に、少なくとも１本の略水平線４２を引いて、その上での筆記を簡単にする。有利には、副ノートパッドにより、被挟物を見た者らが、その被挟物の指定された領域にコメントを書けるようにすることで、協調及び伝達を促進する。
【００５２】
被挟物に対するオーガナイザー装置の付け方
図５及び図６では、本発明のオーガナイザー装置の好適な１実施例を説明している。図示したように、オーガナイザー装置のカード１は、被挟物５０を構成する、少なくとも１枚の紙、例えば文書、フォルダ、レポート又はマニュアル等を保持している。オーガナイザー装置には、カード１の一部分に形成したクリップ２、該カード上に配置するノートパッド３０、及び該カード上に配置する副ノートパッド４０を備える。カード１及びクリップ２を、図１及び図２と関連して上述したようなものにしており、主及び副ノートパッド３０、４０は、図３及び図４に関して上述したようなものにしている。
【００５３】
オーガナイザー装置の作製方法
カード及び該カードから形成したクリップを有するオーガナイザー装置を作製する方法も、本発明の範囲内に含む。通常、該方法には、紙を少なくとも１枚のカード用に提供するステップ、該カードをレーザによる型抜きで切欠いて、舌部及び切欠窓部を有するクリップを形成するステップ、及び紙から該カードを切断するステップを備える。更なるステップとして、方法に関して、例えばインクを少なくとも１枚のカードに提供するステップ、及び所定のパターンを少なくとも１枚のカードに印刷するステップを、実施してもよい。或は、更なるステップとして、接着片を少なくとも１枚のカードの裏面に付与する、又は掴持面をクリップの舌部に接着する等して、カードの掴持力を強化するよう提供してもよい。或は、更なるステップとして、カード上で所定のテキストをエンボス加工する、カードの少なくとも片面をラミネート加工する、及び少なくとも１枚のフラグをカードに取着する等、カードの筆記面及び情報提供面を強化するステップを、加えてもよい。
【００５４】
オーガナイザー装置のカードを、クリップ及びミシン目と共に、綺麗で鋭く耐久性のある縁部を生成するために、レーザによる型抜き切断又は他の同様な技術によって、獲得する。別の実施例では、オーガナイザー装置を、カード全体に亘りミシン目で簡単に切り離せるようにして、オーガナイザー装置を１枚ずつ切離可能にし、これを家庭用又は事務用プリンタに給送してもよい；このように、オーガナイザー装置の内容又はテーマを独自のものにできる、又は必要に応じて、オーガナイザー装置カード１を連続して製造できる。
【００５５】
オーガナイザー装置を使用する方法
カード及び該カードから形成したクリップを有するオーガナイザー装置を使用する方法も、本発明の範囲内に含む。オーガナイザー装置を使用する方法には、被挟物をクリップに挿入するステップ、及びオーガナイザー装置に関する被挟物についての状態情報を表示するステップを備える。表示ステップは、オーガナイザー装置の機能によって可能になるため、多数の方法の何れでも達成されるかも知れない。例えば、表示を、クリップの舌部上に設けたミシン目付部分への印、該ミシン目付部分の打抜き、カード表面へのコメントの書込み、主ノートパッドへのコメントの書込み、副ノートパッドへのコメントの書込み、又はフラグの回転としてもよい。オーガナイザー装置を使用する方法には、カードの一部を、カードのミシン目に沿って取外して、それをカードファイルに保存することも含んでもよい。有利には、オーガナイザー装置の様々な実施例の構成要素に関して更に上述したように、こうしたオーガナイザー装置を使用する方法により、チームメンバー間で伝達、協調及び調整を強化する。
【００５６】
本発明について、特定の好適な実施例に照らして開示したが、本発明が、具体的に開示した実施例の他に、本発明の他の別な実施例及び／又は使用法、及び本発明の明白な変更例及び同等物までに及ぶことは、当業者には明らかであろう。更に、本発明の様々な機能を、単独で、又は明示的に上述した以外の本発明の他の機能と組合せて、使用できる。このように、本明細書で開示した本発明の範囲は、上述した特定の開示した実施例で限定されるものではなく、以下のクレームに関する公正な解釈によってのみ決定されるべきものと考えられる。
【図面の簡単な説明】
【００５７】
【図１】本発明の実施例によるオーガナイザー装置の正面図である。
【図２】図１のオーガナイザー装置の背面図である。
【図３】本発明の特定の実施例による主ノートパッドの拡大背面図である。
【図４】本発明の特定の実施例による副ノートパッドの拡大背面図である。
【図５】オーガナイザー装置の好適な実施例を、被挟物に使用して、これを図示した斜視図である。
【図６】オーガナイザー装置の好適な実施例を、被挟物に使用して、これを図示した斜視図である。
【符号の説明】
【００５８】
１            カード
２            クリップ
３            クリップ上部
４            クリップ下部
５            ミシン目
７            エンボス領域
８            開口部
１０            前面
１１            舌部
１２            掴持面
１３            切欠形状
１４            ミシン目付部分
１５、２６        フラグ
１７            筆記面
２０            裏面
２２            ノックアウト・タブ
２３            感圧接着剤
２８            グロメット
２９            第５ローブ
３０            主ノートパッド
４０            副ノートパッド
５０            被挟物
【図１】
2008543609.tif 000003
【図２】
2008543609.tif 000004
【図３】
2008543609.tif 000005
【図４】
2008543609.tif 000006
【図５】
2008543609.tif 000007
【図６】
2008543609.tif 000008
【国際調査報告】
2008543609.tif 000009
2008543609.tif 000010
2008543609.tif 000011
2008543609.tif 000012